(57)【要約】【課題】  本発明は釣り用バケツに関し、バケツ本体の底面に取り付けた滑止め部材の剥離を防止した釣り用バケツを提供することを目的とする。【解決手段】  請求項１に係る発明は、柔軟な合成樹脂で形成されたバケツ本体の底部の底面に滑止め部材を取り付けた釣り用バケツに於て、上記滑止め部材が取り付くバケツ本体の底面の取付部の周辺部を、当該取付部よりバケツ本体の下方へ突出させて、当該取付部に、底部より柔軟な合成樹脂で形成した滑止め部材を、接地可能にバケツ本体に一体的に取り付けたことを特徴とする。【選択図】    図２
2005185120.tif 000002
【特許請求の範囲】
【請求項１】
柔軟な合成樹脂で形成されたバケツ本体の底部の底面に滑止め部材を取り付けた釣り用バケツに於て、
上記滑止め部材が取り付くバケツ本体の底面の取付部の周辺部を、当該取付部よりバケツ本体の下方へ突出させて、当該取付部に、底部より柔軟な合成樹脂で形成した滑止め部材を、接地可能にバケツ本体に一体的に取り付けたことを特徴とする釣り用バケツ。
【請求項２】
バケツ本体の底面の取付部の周辺部に、バケツ本体の下方へ突出する突部が突設されていることを特徴とする請求項１に記載の釣り用バケツ
【請求項３】
バケツ本体の底面の取付部は、凹部であることを特徴とする請求項１に記載の釣り用バケツ。
【請求項４】
バケツ本体の底部は、バケツ本体の側部より剛性が大きいことを特徴とする請求項１乃至請求項３のいずれか１項に記載の釣り用バケツ。
【発明の詳細な説明】
【技術分野】
【０００１】
本発明は、撒き餌入れや釣り具入れ等に使用される釣り用バケツに関する。
【背景技術】
【０００２】
従来から釣り用バケツはコマセ等の撒き餌を入れる容器として使用されたり、釣れた魚や釣具を入れる容器として使用されており、多くの釣り用バケツは柔軟で防水性を有する合成樹脂シートでバケツ本体が形成されて上方が開口する構造となっている。そして、この種の釣り用バケツは、合成樹脂シートの柔軟性を利用してバケツ本体を折り畳んで持ち運ぶことができるようになっており、また、バケツ本体の上部開口部をチャック等で開閉する蓋体を備えたものも広く使用されている。
【０００３】
そして、釣人は釣場で撒き餌を入れた釣り用バケツを足元に置いて使用することが多く、足場によっては滑り易い場所もあるため、バケツ本体の底面に滑止め部材を装着した釣り用バケツも広く知られている（特許文献１，２参照。）。
図７及び図８は特許文献１に開示された釣り用バケツを示し、この釣り用バケツ１は、シート状に形成された土台部材３に多数の凸部５を取り付けて、当該土台部材３をボックス状に形成されたバケツ本体７の底面９に取り付けたものである。
【０００４】
また、図９及び図１０は特許文献２に開示された釣り用バケツで、この釣り用バケツ１１は、ボックス状に形成されたバケツ本体１３の底面１５全体に、板状の滑止め部材１７を取り付けた構造となっている。
【特許文献１】実用新案登録第３００３４４９号公報
【特許文献２】実開平６−１９４６９号公報
【発明の開示】
【発明が解決しようとする課題】
【０００５】
しかし、上述した釣り用バケツ１，１１は、何れも土台部材３と凸部５との接合部や、バケツ本体１３の底面１５と滑止め部材１７との接合部の境界が外部に露出した構造上、これらの接合部に外力が加わると、凸部５や滑止め部材１７が土台部材３や底面１５から剥離してしまう不具合が指摘されていた。
特に、バケツ本体７，１３の底面９，１５が、バケツ本体７，１３の側面１９，２１と同様に柔軟な合成樹脂シートで形成されて撓み易いと、底面９の撓みで土台部材３が底面９から簡単に剥離し、同じく底面１５の撓みで滑止め部材１７が底面１５から簡単に剥離してしまう虞があった。
【０００６】
また、斯様に底面９，１５を柔軟な合成樹脂シートで形成して撓み易くすると、その柔軟性によって底面９，１５が歪んで、凸部５や滑止め部材１７が十分に接地できない不具合もあった。
本発明は斯かる実情に鑑み案出されたもので、バケツ本体の底面に取り付けた滑止め部材の剥離を防止した釣り用バケツを提供することを第１の目的とする。
【０００７】
そして、本発明の第２の目的は、滑止め部材の接地性の向上を図った釣り用バケツを提供することにある。
【課題を解決するための手段】
【０００８】
斯かる目的を達成するため、請求項１に係る発明は、柔軟な合成樹脂で形成されたバケツ本体の底部の底面に滑止め部材を取り付けた釣り用バケツに於て、上記滑止め部材が取り付くバケツ本体の底面の取付部の周辺部を、当該取付部よりバケツ本体の下方へ突出させて、当該取付部に、底部より柔軟な合成樹脂で形成した滑止め部材を、接地可能にバケツ本体に一体的に取り付けたことを特徴とする。
【０００９】
そして、請求項２に係る発明は、請求項１に記載の釣り用バケツに於て、バケツ本体の底面の取付部の周辺部に、バケツ本体の下方へ突出する突部が突設されていることを特徴とし、請求項３に係る発明は、請求項１に記載の釣り用バケツに於て、バケツ本体の底面の取付部は凹部であることを特徴とする。
更に、請求項４に係る発明は、請求項１乃至請求項３のいずれか１項に記載の釣り用バケツに於て、バケツ本体の底部は、バケツ本体の側部より剛性が大きいことを特徴とする。
【発明の効果】
【００１０】
各請求項に係る発明によれば、バケツに外力が加わっても滑止め部材の剥離を確実に防止することができる利点を有する。
そして、請求項４に係る発明によれば、底部の剛性を大きくしたことで、底部が歪み難くなって滑止め部材が剥離することがなく、また、斯様に底部の剛性を大きくしたことで、底部が地面や甲板から浮き上がることが防止され、滑止め部材の接地性の向上が図られる利点を有する。
【発明を実施するための最良の形態】
【００１１】
以下、本発明の実施形態を図面に基づいて詳細に説明する。
図１乃至図３は請求項１，請求項２及び請求項４に係る釣り用バケツ（以下、「バケツ」という）の第一実施形態を示し、図１に於て、２３は側部２５と底部２７とで形成された防水性を有するボックス状のバケツ本体で、当該バケツ本体２３は上部に開口部２９が開口して内部を収納部としている。
【００１２】
側部２５はエチレン酢酸ビニル，塩化ビニル等の合成樹脂シートで形成されて柔軟性を有し折り曲げが可能で、側部２５の下部に底部２７が溶着されている。
底部２７は側部２５と同一材料を用いて平面視矩形状に柔軟性を持って形成されている。そして、図２に示すように底部２７は、側部２５に比し厚肉な合成樹脂シート（または板状体）を用いて側部２５より剛性が大きく形成されている。
【００１３】
従って、持ち運びの際に、合成樹脂シートで形成された柔軟な側部２５を折り曲げて上下方向から潰すようにコンパクトに折り畳むことが可能である。
また、バケツ本体２３の開口部２９の一側に、バケツ本体２３と同一材料で形成された１枚のシート状の蓋体３１が、同じく合成樹脂シートからなるヒンジ部材（図示せず）を介して連結されている。
【００１４】
そして、一対のハンドル３３が側部２５の前側面３５と後側面３７の外周に取り付けられているが、この前，後側面３５，３７と側部２５の左，右側面３９，４１を構成する合成樹脂シートの上部は、図２に示すように外側に折り返されて開口部２９の周縁部４３を形成しており、夫々の折返し片４５は、端部を除き各側面３５，３７，３９，４１の外側に、金属や合成樹脂で形成された平面視矩形状のフレーム４７を挟んでウエルダ加工により接合されている。
【００１５】
従って、開口部２９の周縁部４３は材料自体の特性により可撓性，柔軟性を有し、また、フレーム４７によってバケツ本体２３の自立性，強度アップと開口部２９の形状保持が図られている。
更に、各折返し片４５の端部と、蓋体３１の周縁部との間にチャック４９のテープ５１が縫着されており、図１の如くチャック４９の操作部をヒンジ部材まで移動させると蓋体３１が全開し、また、図示しないが操作部をハンドル３３まで移動させて蓋体３１を半折りすると、半開状態でバケツ５３が使用できるようになっている。そして、ヒンジ部材は右側面４１の折返し片４５と蓋体３１との間に取り付けられて、ハンドル３３が邪魔にならずに蓋体３１の開閉ができるようになっている。
【００１６】
そして、図２及び図３に示すように平面視矩形状に形成された底部２７の底面２７ａの四隅に、夫々、平面視楕円形状の環状突部５７がバケツ本体２３の下方へ一体に突設されている。そして、各環状突部５７内に、底部２７より柔軟な合成樹脂やゴムで形成された平面視楕円形状の滑止め部材５９が圧入，嵌合して底部２７に溶着されており、各滑止め部材５９は地面や甲板に置いて動かした時、底部２７より大きな摩擦抵抗を有しており、環状突部５７の突出端６１より下方に突出して、バケツ５３を地面に置いた時に滑止め部材５９が接地可能となっている。
【００１７】
尚、滑止め部材５９を環状突部５７の内周に比し若干小さく形成して、各滑止め部材５９を環状突部５７内の底部２７に溶着させてもよい。
その他、図１中、６０はバケツ５３内に立て掛けられた柄杓である。
本実施形態はこのように構成されているから、バケツ本体２３の側部２５を上下方向から潰すように折り畳めば、バケツ５３全体がコンパクトとなって持ち運びが容易となり、また、底部２７の剛性が側部２５より大きいため、底部２７（バケツ本体２３）の破損が防止されると共に、撒き餌入れとしてバケツ５３を地面や船上に置いた際に、底部２７が歪み難いために滑止め部材５９が地面や甲板から浮き上がることなく確実に接地することとなる。
【００１８】
そして、斯様に滑止め部材５９が接地することで、バケツ５３に横滑りするような荷重がかかっても、滑止め部材５９が撓んで衝撃を和らげバケツ５３の横滑りを防止する。
また、このとき、地面や甲板に凹凸があっても、滑止め部材５９と底部２７の底面２７ａとの溶着部を環状突部５７が囲んで保護した構造上、凹凸が当該溶着部に直接当たらないために溶着部に滑止め部材５９を剥離させる外力が加わらず、而も、環状突部５７が滑止め部材５９の外周からこれを強固に保持するため、滑止め部材５９の剥離が確実に防止されることとなる。
【００１９】
そして、既述したように底部２７の剛性を側部２５に比し大きくしたため、底部２７の撓みで滑止め部材５９が剥離し難く、また、仮に底部２７が撓んでも、環状突部５７が滑止め部材５９の外周からこれを強固に保持して滑止め部材５９の剥離を防止する。
このように本実施形態は、滑止め部材５９と底部２７の底面２７ａとの溶着部を環状突部５７が囲んで保護すると共に、当該環状突部５７が滑止め部材５９をその外周から保持するので、バケツ５３に外力が加わっても滑止め部材５９の剥離を確実に防止することができ、また、底部２７を側部２５に比し剛性を大きく形成したことで、底部２７が歪み難いために滑止め部材５９が底面２７ａから剥離したり地面や甲板から浮き上がることがなくなって、従来に比し滑止め部材５９の接地性の向上が図られることとなった。
【００２０】
尚、上記実施形態では、滑止め部材５９と底部２７との溶着部を環状突部５７で囲んで保護したが、図４に示す請求項１，請求項２及び請求項４の第二実施形態のように、底部２７-1の底面２７ａ-1に溶着した滑止め部材５９の周囲を囲む複数の突部６３を間隔を空けて底部２７-1に断続的に突設してもよく、滑止め部材５９は各突部６３の突出端よりも下方に突出して、接地可能に各突部６３内の底面２７ａ-1に溶着されている。
【００２１】
そして、底部２７-1は既述した底部２７と同一材料で平面視矩形状に形成されて底部２７と同一の肉厚を有し、また、その他の構成は上記第一実施形態と同様であるので、同一のものには同一符号を付してそれらの説明は省略する。
而して、この実施形態に係るバケツ５３-1によっても、上記実施形態と同様、所期の目的を達成することが可能で、滑止め部材５９の剥離防止と接地性の向上が図られる利点を有する。
【００２２】
図５及び図６は請求項１，請求項３及び請求項４の一実施形態に係るバケツを示し、以下、本実施形態を図面に基づき説明するが、図１の実施形態と同一のものには同一符号を付してそれらの説明は省略する。
図５に於て、２３-1は側部２５と底部２７-2からなるバケツ本体で、底部２７-2は既述した底部２７と同一材料で平面視矩形状に形成されて、底部２７と同一の肉厚を有している。
【００２３】
そして、図６の如く底部２７-2の底面２７ａ-2の四隅に滑止め部材５９が夫々取り付けられているが、本実施形態は、底面２７ａ-2の四隅に平面視楕円形状の凹部６５を設け、各凹部６５内に滑止め部材５９を圧入，嵌合して底部２７-2に溶着したもので、各滑止め部材５９は、底面２７ａ-2よりも下方に突出して、バケツ５３-2を地面に置いた際に滑止め部材５９が接地可能となっている。
【００２４】
而して、本実施形態によれば、滑止め部材５９と底部２７-2との溶着部が底面２７ａ-2より上方に位置して底部２７-2で保護されているため、バケツ５３-2を置いた地面に凹凸があっても、凹凸が溶着部に直接当たらないために溶着部に滑止め部材５９を剥離させる外力が加わらず、而も、凹部６５が滑止め部材５９の外周からこれを強固に保持するため、滑止め部材５９の剥離が確実に防止されることとなる。
【００２５】
そして、底部２７-2の剛性を側部２５に比し大きくしたため、底部２７-2の撓みで滑止め部材５９が剥離し難く、また、仮に底部２７-2が撓んでも、凹部６５が滑止め部材５９の外周からこれを強固に保持して滑止め部材５９の剥離を防止する。
更に、底部２７-2の剛性を側部２５に比し大きくしたことで底部２７-2が歪み難くなって、滑止め部材５９が地面や甲板から浮き上がることなく確実に接地することとなる。
【００２６】
従って、本実施形態によっても、上述した各実施形態と同様、所期の目的を達成することが可能で、滑止め部材５９の剥離防止と接地性の向上が図られる利点を有する。
尚、上述した各実施形態では、滑止め部材５９を底部２７，２７-1，２７-2に夫々溶着したが、接着剤を用いて滑止め部材５９を底部２７，２７-1，２７-2に接着してもよい。
【図面の簡単な説明】
【００２７】
【図１】請求項１，請求項２及び請求項４の第一実施形態に係るバケツの全体斜視図である。
【図２】図１に示すバケツの断面図である。
【図３】図１に示すバケツの底面図である。
【図４】請求項１，請求項２及び請求項４の第二実施形態に係るバケツの底面図である。
【図５】請求項１，請求項３及び請求項４の一実施形態に係るバケツの断面図である。
【図６】図５に示すバケツの底面図である。
【図７】従来のバケツの全体斜視図である。
【図８】図７に示すバケツの要部拡大断面図である。
【図９】従来の他のバケツの全体斜視図である。
【図１０】図９に示すバケツの断面図である。
【符号の説明】
【００２８】
２３  バケツ本体
２５  側部
２７，２７-1，２７-2  底部
２７ａ，２７ａ-1，２７ａ-2  底面
２９  開口部
３１  蓋体
３３  ハンドル
４７  フレーム
５３，５３-1，５３-2  バケツ
５７  環状突部
５９  滑止め部材
６３  突部
６５  凹部
【図１】
2005185120.tif 000003
【図２】
2005185120.tif 000004
【図３】
2005185120.tif 000005
【図４】
2005185120.tif 000006
【図５】
2005185120.tif 000007
【図６】
2005185120.tif 000008
【図７】
2005185120.tif 000009
【図８】
2005185120.tif 000010
【図９】
2005185120.tif 000011
【図１０】
2005185120.tif 000012